(57)【要約】【課題】荷物の大きさに適宜対応できるフックを備えた机を提供する。【解決手段】天板１０と、その天板１０を支持する支持体３とを備える机１であって、荷物を掛けるためのフック２が、支持体３からの突出量を可変とするために、支持体３に対して突出方向に直線移動可能に取付けられている。【選択図】　　　　図３
2004057711.tif 000002
【特許請求の範囲】
【請求項１】
天板と、その天板を支持する支持体とを備える机であって、荷物を掛けるためのフックが、前記支持体からの突出量を可変とするために、前記支持体に対して突出方向に直線移動可能に取付けられていることを特徴とする机。
【請求項２】
請求項１に記載の机であって、
フックは、支持体に差し込まれる杆を備え、
前記支持体は、前記杆が差し込まれる差込口と、前記杆が貫通する出口を備えた貫通孔を有し、
前記杆は、前記差込口の口端と、前記出口の口端によって支持されつつ、前記貫通孔を移動する構成になっていることを特徴とする机。
【請求項３】
請求項１に記載の机であって、
支持体は、フックを取付けるために、略水平方向に貫通する二つの貫通孔を有し、
前記フックは、棒状部材を略Ｕ字状に形成し、その両先端が前記貫通孔のそれぞれに差し込まれ、貫通した前記両先端のうちの少なくとも一方に前記支持体からの抜けを防止する抜止部が設けられている構成になっていることを特徴とする机。
【発明の詳細な説明】
【０００１】
【発明の属する技術分野】
この発明は、机に関するものであって、例えば学校等で使用される学童用、生徒用の机に関するものである。
【０００２】
【従来の技術】
従来の学童用、生徒用の机には、荷物を掛けるためのフックが設けられていた。例えば実用新案登録第３０８６１３６号公報や特開平６−２８０８４４号公報に開示された構造によりフックが机に設けられていた。
これら開示発明によると机は、天板と天板を支持する支持体とを備える。そして支持体に荷物を掛けるためのフックが固定的に取付けられていた。
【０００３】
【発明が解決しようとする課題】
しかしフックが固定的に支持体に取付けられる形態の場合は、幅の広い荷物をフックに掛けることが難しかった。例えば習字道具入れや学生かばんの幅がフックの突出量よりも広い場合があり、これらをフックに掛けることが難しかった。そして幅の広い荷物を強引にフックに掛けた場合は、その荷物が斜めになって、通路側へ飛び出してしまう場合もあった。そしてこの場合、通行人によって荷物が落とされる場合もあった。
また机の使い勝手を向上させるために支持体を天板の左右両端寄りに設け、これによって下肢空間を広くとる場合がある。しかしこの場合は、天板の左右両端から出っ張らないで使用勝手の良いフックを支持体に設けることが難しかった。
そこで本発明は、荷物の大きさに適宜対応できるフックを備えた机を提供することを課題とする。
【０００４】
【課題を解決するための手段】
前記課題を解決するために本発明は、上記各請求項に記載の通りの構成を備える机であることを特徴とする。
請求項１に記載の発明によれば、天板と、その天板を支持する支持体とを備える机である。そして荷物を掛けるためのフックが、支持体からの突出量を可変とするために、支持体に対して突出方向に直線移動可能に取付けられている。
すなわちフックは、支持体に対して直線移動できる。そして直線移動することでフックは、支持体から突出し、その突出量を変えることができる。
したがってフックに掛ける荷物が小さい場合は、フックの突出量を小さくすることができる。そのためフックは、通路の邪魔にならない位置に移動できる。そして荷物が大きい場合は、フックの突出量を大きくし、その荷物を略真下方向へ吊り下げることができる。そのため荷物が通路側へ斜めに飛び出すことを防止することができる。かくしてフックは、荷物の大きさに適宜対応できる構成であって、その使用勝手が良い。
【０００５】
請求項２に記載の発明によると、フックは、支持体に差し込まれる杆を備える。また支持体は、杆が差し込まれる差込口と、杆が貫通する出口を備えた貫通孔を有し、杆は、差込口の口端と、出口の口端によって支持されつつ、貫通孔を移動する構成になっている。
すなわち杆は、貫通孔によって支持体を貫通する。そして杆は、差込口の口端と、出口の口端の少なくとも二箇所によって支持される。したがって二つの口端は協働して杆を支持し、一つの口端に加わる力が小さくなっている。かくして支持体は、破損しにくく、フックを安定よく支持する。
【０００６】
請求項３に記載の発明によれば、支持体は、フックを取付けるために略水平方向に貫通する二つの貫通孔を有する。またフックは、棒状部材を略Ｕ字状に形成し、その両先端が貫通孔のそれぞれに差し込まれ、貫通した両先端のうちの少なくとも一方に支持体からの抜けを防止する抜止部が設けられている構成になっている。
すなわちフックは、棒状部材から形成されている。そして棒状部材の先端が支持体に形成された貫通孔に差し込まれ、その先端に抜止部が設けられている。したがって容易な構造によってフックは、支持体から抜け止めされ得る。
またフックは、支持体に設けられた二つの貫通孔を貫通する。したがってフックは、水平軸の軸周り方向に回動しない。かくしてフックは、掛けられた荷物を安定よく支持する。
【０００７】
【発明の実施の形態】
（実施の形態１）
実施の形態１を図１〜１０にしたがって説明する。
実施の形態１における机１は、学校等で使用される学童用、生徒用の机である。この机１は、図１に示すように一人用に形成されており、天板１０と、天板１０を支持する支持体３と、天板１０の裏面に取付けられた物入れ１１とを主体に構成されている。
【０００８】
天板１０は、図１に示すように左右にやや長い長方形状の厚板より形成されている。そして表面に合成樹脂や金属等からなる化粧板が張られている。または化粧板に代えて表面に塗装が施されている。
物入れ１１は、図１に示すように天板１０とともに収納部を構成するものであって、着座側に開放するように天板１０の裏面にボルト等により一体に設けられている。
支持体３は、図１，２に示すように天板１０の裏面に取付けられて、裏面を支持する裏面支持部３ａと、天板１０の右端側を支持する右脚部３ｂと、天板１０の左端側を支持する左脚部３ｄを有する。
【０００９】
右脚部３ｂと左脚部３ｄは、図１，２に示すように天板１０の右端縁と左端縁の略中央位置からフロアへ延出する。したがって天板１０は、二本の脚部（３ｂ，３ｄ）によって支持される。
また右脚部３ｂと左脚部３ｄの下端側には、前後方向にフロアに沿って延出するフロア側支持部３ｃ，３ｅが設けられている。
また支持体３は、図１，２に示すように複数のパイプ材（例えばスチールのパイプ材）から形成されている。すなわち支持体３は、天板１０の右前側を支持する第一支持部材３０と、天板１０の左前側を支持する第二支持部材３２と、天板１０の後側を支持する第三支持部材３１と、右脚部３ｂと左脚部３ｄを連結する連結部材３３とを有し、これらがパイプ材から形成されている。
【００１０】
第一支持部材３０は、図１に示すように天板１０の右端前寄りを裏面から支持する第一裏面支持部３０ａと、天板１０の右端寄り略中央部からフロアへ延出する第一右脚部３０ｂと、第一右脚部３０ｂの下端からフロアに沿って前方へ延出する第一フロア側支持部３０ｃを一体状に有する。
第二支持部材３２も、第一支持部材３０とほぼ同様に形成されている。すなわち第二支持部材３２は、図２に示すように天板１０の左端前寄りを裏面から支持する第二裏面支持部３２ａと、天板１０の左端寄り略中央部からフロアへ延出する第二左脚部３２ｄと、第二左脚部３２ｄの下端からフロアに沿って前方へ延出する第二フロア側支持部３２ｅを一体状に有する。
【００１１】
第三支持部材３１は、図２に示すように天板１０を裏面から支持する第三裏面支持部３１ａを有する。この第三裏面支持部３１ａは、天板１０の三辺に沿う。すなわち右辺の略後半分と、後辺の略全長と、左辺の略後半分に沿う。
また第三支持部材３１は、天板１０の右端寄り中央部からフロアへ延出する第三右脚部３１ｂと、天板１０の左端寄り略中央部からフロアへ延出する第三左脚部３１ｄを有する。この第三右脚部３１ｂは、図１に示すように第一右脚部３０ｂと溶接によって一体とされ、第一右脚部３０ｂとともに右脚部３ｂを形成する。また第三左脚部３１ｄは、図２に示すように第二左脚部３２ｄと溶接によって一体とされ、第二左脚部３２ｄとともに左脚部３ｄを形成する。
【００１２】
また第三支持部材３１は、図２に示すように第三右脚部３１ｂの下端からフロアに沿って後方へ延出する第三フロア側右支持部３１ｃと、第三左脚部３１ｄの下端からフロアに沿って後方へ延出する第三フロア側左支持部３１ｅを有する。連結部材３３は、図１に示すように右脚部３ｂ（第一右脚部３０ｂと第三右脚部３１ｂ）に取付けられる取付部３３ｂと、図２に示すように左脚部３ｄ（第二左脚部３２ｄと第三左脚部３１ｄ）に取付けられる取付部３３ｄと、これら取付部３３ｂ，３３ｄ間を机１の後方側において連結する連結部３３ａを一体状に有する。
【００１３】
右脚部３ｂと左脚部３ｄは、図１０に示すように天板１０寄り部分において斜めに延出する傾斜部３ｆ，３ｇを有する。すなわち傾斜部３ｆ，３ｇは、天板１０からフロア側へ向けて斜め側方（机１の幅外方）に延出する。
そして傾斜部３ｆ，３ｇを除く右脚部３ｂと左脚部３ｄは、天板１０の幅とほぼ同一の幅を有してフロア側に延出する。また傾斜部３ｆ，３ｇと天板１０との間には、スペース３ｈ，３ｉが形成されている。
そして傾斜部３ｆ，３ｇには、フック２を取付けるための取付部が形成されている。すなわち傾斜部３ｆには、図３に示すように二つの貫通孔３５，３６が設けられている。なお傾斜部３ｇにも同様に二つの貫通孔３７，３８（図１０参照）が設けられている。
【００１４】
フック２は、荷物を掛けるための部材であって、図３に示すように金属（例えば普通鋼、ステンレスなど）を素材とした棒状部材（例えば、丸棒）から形成されている。またフック２は、図３，４に示すように支持体３から突出するように、支持体３に対して突出方向に直線移動可能に取付けられている。したがってフック２は、支持体３からの突出量を可変とする。以下にそのフック２を支持体３へ取付ける取付方法とその構造を説明する。
すなわち先ず、図５に示すように棒状部材を略Ｕ字状に形成する。これによってフック２は、両先端に形成された杆２０，２２と、杆２０，２２間を半円状に連結する掛止部２１を有する。
【００１５】
この掛止部２１は、図３に示すように荷物が掛けられた際に荷物がフック２から抜け落ちないようにするために、その先端が斜め上方に傾斜するように形成されている。
次に、杆２０，２２を図６に示すように貫通孔３５，３６に差し込む。
貫通孔３５，３６は、それぞれ第三右脚部３１ｂと第一右脚部３０ｂを略水平方向に貫通する貫通孔であって、図５に示すように杆２０，２２が差し込まれる差込口３５ａ，３６ａと、杆２０，２２が貫通する出口３５ｂ，３６ｂとを備える。
【００１６】
ところで一方の杆２０は、図６に示すように他方の杆２２よりも長く、その差は、杆２０，２２の間隔とほぼ同じである。
したがって杆２０の先端部を図７に示すように他方の杆２２側へ略９０度曲げ込むことで杆２０，２２の先端同士が近接し、フック２は、略環状になる。そしてフック２には、支持体３からの抜けを防止する抜止部２０ａが形成される。
なお抜止部２０ａは、前記したように棒状部材の先端を折曲げることで形成されている。そしてその折曲部分は、曲率が大きくなるよう折曲げられている。また折曲部分は、机の前方側、すなわち利用者の足が天板１０の下に差し込まれる際の差込側に向くように形成されている。したがって抜止部２０ａは、利用者が天板１０の下に足を抜き差しする際に足を傷つけにくい構造になっている。
【００１７】
またフック２は、図７，８に示すように支持体３に対して突出方向に直線移動可能に支持体３に取付けられている。すなわちフック２は、支持体３からの突出量が少ない収納位置と（図３参照）、支持体３からの突出量が多い突出位置（図４参照）とに移動可能に支持体３に取付けられている。
またフック２は、図８に示すように貫通孔３５が傾斜部３ｆに対して略垂直方向に貫通する。したがってフック２は、右脚部３ｂを最短長さで貫通する。かくしてフック２は、その移動量が大きく、支持体３に対して突出しやすい。
なお貫通孔３６〜３８も貫通孔３５と同様に形成されており、フック２が移動可能に取り付けられている。
【００１８】
またフック２は、図８に示すように貫通孔３５側へ差し込まれることで、掛止部２１が差込口３５ａの口端に当たる。すなわちフック２は、収納位置に移動する。そして収納位置のフック２は、図１０に示すように天板１０（机１）の幅内に収納される。
フック２の掛止部２１は、図８に示すように略垂直方向に延出する構造である。そして掛止部２１が図１０に示すように傾斜部３ｆと天板１０との間に形成されたスペース３ｈ内に収納され、フック２が机１の幅内に収納される。
またフック２は、図７の仮想線で示すように引出されることで、抜止部２０ａが右脚部３ｂに当たる。すなわちフック２は、突出位置に移動する。これによってフック２は、図８に示すように支持体３から突出する。そしてフック２の突出量Ａは、杆２０，２２の長さによって決定される。
【００１９】
また杆２０は、図８に示すように第一右脚部３０ｂに形成された差込口３５ａの口端と、出口３５ｂの口端の少なくとも二箇所によって支持される。したがって二つの口端が協働して杆２０を支持する。また杆２２も同様に第三右脚部３１ｂの差込口３６ａの口端と、出口３６ｂの口端の少なくとも二箇所によって支持される。
したがって二つの口端は協働して杆２０，２２を支持し、一つの口端に加わる力が小さくなっている。かくして支持体３は、破損しにくく、フック２を安定よく支持する。
またフック２は、二つの杆２０，２２を備え、これらは平行に延出する。そして二つの杆２０，２２は、それぞれが貫通孔３５，３６に挿入される。したがってフック２は、二つの杆２０，２２によって水平軸の軸周りに回転することが防止される。かくしてフック２は、荷物を安定よく支持する。
また左脚部３ｄにも右脚部３ｂと同様にフック２が設けられている。
【００２０】
以上のようにして机１が形成される。
すなわちフック２は、支持体３に対して直線移動できる。そして直線移動することでフック２は、支持体３から突出し、その突出量を変えることができる。したがってフック２に掛ける荷物が小さい場合は、フック２の突出量を小さくすることで、フック２を通路の邪魔にならない位置に移動させることができる。そして荷物が大きい場合は、フック２の突出量を大きくし、これによって荷物を略真下方向へ吊り下げることができる。そのため荷物が通路側へ斜めに飛び出すことを防止できる。かくしてフック２は、荷物の大きさに適宜対応できる構成であって、その使用勝手が良い。
【００２１】
またフック２は、棒状部材から形成され、その先端を曲げることで支持体３からの抜けを防止する抜止部２０ａが形成されている。またフック２は、支持体３に形成された貫通孔３５〜３８に差し込まれる構造であって、その支持体３に移動可能に取付けられている。したがってフック２は、支持体３からの抜け止め構造と、支持体３に対する移動構造とが容易な構成によって形成されている。
またフック２は、二つの貫通孔（３５，３６又は３７，３８）に挿入される（図３，１０参照）。そして貫通孔３５，３６は、別のパイプ材に設けられている。すなわち貫通孔３５が第一支持部材３０に設けられ、貫通孔３６が第二支持部材３２に設けられている。したがってフック２は、二つのパイプ材によって支持される。かくして支持体３は、破損しにくく、フック２を安定良く支持する。
【００２２】
またフック２は、支持体３に対して略水平方向に差し込まれることで取付けられている。したがって従来の構造、例えばフックが垂下状に支持体に取付けられる構造よりも天板１０寄り（上側）にフック２を支持体３に設けやすい。
したがってフックを高い位置に設けることで大きな荷物を掛けやすくなる。なおこの構造は、学校等で使用される比較的背の低い机に対して効果的である。
【００２３】
また右脚部３ｂと左脚部３ｄは、天板１０の右端または左端の略中央位置からフロアへ延出する。そしてこれら右脚部３ｂと左脚部３ｄにフック２が設けられる。したがってフック２は、机１の奥行き方向の略中央位置に設けられるとともに、高さ方向の取付位置を容易に調整できる。
またフック２は、支持体３に対して収納可能に取付けられている。したがって机１は、使用勝手が良い構成になる。すなわち支持体３の右脚部３ｂと左脚部３ｄを天板１０の幅方向に広げることで、下肢空間を広くすることができる。そしてその形態であってもフック２を収納することで、フック２を天板１０の幅内に収納することができる。
【００２４】
またフック２は、折曲加工による抜止部２０ａによって支持体４に取付けられている。したがって溶接などによる取付け方法に比べて容易にフック２が支持体４に取付けられる。
またフック２は、図８に示すように水平線に対して少し傾きを有した状態で右脚部３ｂに取付けられている。すなわちフック２は、掛止部２１側が高くなるように斜めに取付けられている。したがってフック２は、重力の影響によって突出位置側へ出にくくなっている。そのため不意にフック２が机１の幅から飛び出すことが防止されている。
【００２５】
（実施の形態２）
実施の形態２を図１１〜１３にしたがって説明する。
実施の形態２は、実施の形態１と支持体の構造が異なる形態であって、他の部分は同一である。したがってここでは、同一部分についての説明を割愛し、同一部分に同一番号を利用しつつ異なる部分についての説明をする。
支持体４は、図１１に示すように天板１０の右端寄りを支持する右脚部４０と、天板１０の左端寄りを支持する左脚部４１を有する。これら右脚部４０と左脚部４１は、天板１０の右端縁と左端縁の略中央位置からフロアへ延出する。
また右脚部４０と左脚部４１の下端には、前後方向に延出するフロア側支持部４３，４４が設けられている。また右脚部４０と左脚部４１の下端寄りには、これらを連結する連結部材４２が設けられている。
【００２６】
こられ各構成部材（右脚部４０、左脚部４１、フロア側支持部４３，４４および連結部材４２）は、それぞれ金属製のパイプ材から形成されている。したがって右脚部４０と左脚部４１は、実施の形態１と異なって一つのパイプ材から形成されている。
また右脚部４０は、図１２に示すように天板１０寄り部分において斜めに延出する傾斜部４０ａを有する。すなわち傾斜部４０ａは、天板１０からフロア側へ向けて斜め側方（机１の幅外方）に延出する。
そして傾斜部４０ａには、図１２に示すように貫通孔４５，４６が設けられている。そして各貫通孔４５，４６にフック２の杆２０，２２が貫通される。
したがって実施の形態２のフック２も実施の形態１と同様に支持体４に対して突出方向に直線移動可能に取付けられる。そしてフック２は、収納位置と突出位置とに移動する。また左脚部４１にも傾斜部が設けられ、その傾斜部にフック２が取付けられている（図への記載は省略している）。
【００２７】
（実施の形態３）
実施の形態３を図１４，１５にしたがって説明する。
実施の形態３は、実施の形態２とフックの形態と、そのフックが取付けられる支持体の取付構造とが異なる形態であって、他の部分は同一である。したがってここでは、同一部分についての説明を割愛し、同一部分に同一番号を利用しつつ異なる部分についての説明をする。
フック５は、図１４に示すように金属（例えば普通鋼、ステンレスなど）を素材とした板部材から形成されている。すなわち先ず、一端側を起こすことで掛止部５ａが形成されている。この掛止部５ａは、フック５に掛けられた荷物がフック５から抜け落ちることを防止するための部分である。
【００２８】
またフック５が取付けられる支持体４は、図１４に示すように右脚部４０に傾斜部４０ａを有する。そして傾斜部４０ａには、傾斜部４０ａを略垂直方向に貫通する貫通孔４７が設けられている。
貫通孔４７は、図１４に示すようにフック５（の本体部５ｂ）が差し込まれる差込口４７ａと、フック５の先端が貫通する出口４７ｂを有する。そして差込口４７ａと出口４７ｂは、ともに横長穴状に形成されている。
したがってフック５は、図１４に示すように先端部から貫通孔４７に貫通される。そして貫通した先端部の一部が図１５に示すように曲げられることで抜止部５ｃが形成される。そして抜止部５ｃは、フック５が支持体４から抜けることを防止する。
【００２９】
したがってフック５は、図１５に示すように掛止部５ａと抜止部５ｃとの間に本体部５ｂを有する。そして本体部５ｂが貫通孔４７を移動することでフック５が支持体４に対して突出方向に直線移動する。
またフック５は、右脚部４０の傾斜部４０ａに取付けられている。したがってフック５の掛止部５ａは、フック５が収納位置において天板１０（机１）の幅から突出しない位置に収納される（実施の形態１，２と同様）。
【００３０】
またフック５の本体部５ｂは、差込口４７ａの口端と、出口４７ｂの口端の少なくとも二箇所によって支持される。したがって二つの口端が協働してフック５を支持し、一つの口端に加わる力が小さくなっている。かくして支持体４は、破損しにくく、フック５を安定よく支持できる。
また図への記載を省略しているが、左脚部４１にも右脚部４０と同様にフック５が設けられている。また本体部５ｂは、請求項に記載の杆に相当する。
【００３１】
（実施の形態４）
実施の形態４を図１６にしたがって説明する。
実施の形態４は、実施の形態１とフックの形態が異なる形態であって、他の部分は同一である。したがってここでは、同一部分についての説明を割愛し、同一部分に同一番号を利用しつつ異なる部分についての説明をする。
フック２は、図７に示す抜止部２０ａに代えて、図１６に示す抜止部６０を有する。この抜止部６０は、例えば樹脂材やゴム材を素材として筒状または袋状に形成され、凹状または貫通孔状に形成された取付部６０ａを有する。そして取付部６０ａに杆２０，２２が取付けられる。
したがってフック２は、次のように支持体に取付けられる。すなわち杆２０，２２を支持体の貫通孔に差し込む。そして杆２０，２２の先端に抜止部６０を取付ける。これによってフック２が支持体に対して抜止めされる。
なお抜止部６０は、杆２０，２２のどちらか一方に設けられる形態であってもよい。また本形態のフックを実施の形態２に利用することも可能である。
【００３２】
（実施の形態５）
実施の形態５を図１７にしたがって説明する。
実施の形態５は、実施の形態３とフックの形態が異なる形態であって、他の部分は同一である。したがってここでは、同一部分についての説明を割愛し、同一部分に同一番号を利用しつつ異なる部分についての説明をする。
フック５は、図１５に示す抜止部５ｃに代えて、図１７に示す抜止部６１を有する。この抜止部６１は、例えば樹脂材やゴム材を素材として筒状または袋状に形成され、凹状または貫通孔状に形成された取付部６１ａを有する。そして取付部６１ａにフック５の本体部５ｂが取付けられる。
したがってフック５は、次のように支持体に取付けられる。すなわち本体部５ｂを支持体の貫通孔に差し込む。そして本体部５ｂの先端に抜止部６１を取付ける。これによってフック５が支持体に対して抜止めされる。
【００３３】
（他の実施の形態）
本発明は、実施の形態１〜５に限定されず以下の形態であっても構わない。
（１）実施の形態１〜３では、フックの抜止部が棒状部材あるいは板材を曲げることで形成されていた。そして実施の形態４，５では、抜止部が筒状または袋状に形成されていた。しかし抜止部が次のように形成される形態であってもよい。すなわち抜止部が棒状部材の先端もしくは板材の先端を潰すことで形成される形態であってもよい。または抜止部が棒状部材の先端、あるいは板材の先端にピン状の別部材を取付けることで形成される形態であってもよい。
（２）また実施の形態１，２では、杆の一方側が曲げ加工されることで抜止部が形成されていた。しかし両方の杆の先端が曲げ加工されることで抜止部が形成される形態であってもよい。
（３）また実施の形態１〜５の形態では、机の支持体が傾斜部（３ｆ，３ｇ，４０ａ）を有していた。しかし傾斜部を有さずに右脚部および左脚部が天板まで略直線状に延出する形態であってもよい。
（４）また実施の形態１〜５の形態では、机の支持体が中空状のパイプ材を主体に構成されていた。しかし支持体が木製などの中実の棒部材を主体に構成され、その棒部材にフックを取付けるための貫通孔が形成される形態であってもよい。
【００３４】
【発明の効果】
本発明に係る机によれば、荷物の大きさに適宜対応できる構成を有するフックが設けられる。
【図面の簡単な説明】
【図１】机の正面斜視図である。
【図２】机の背面斜視図である。
【図３】フック近傍の机の拡大斜視図である。
【図４】フック近傍の机の拡大斜視図であって、フックを引っ張り出した状態（突出位置）を示す図である。
【図５】フックを支持体に取付ける工程図であって、上面から見た一部断面図である。
【図６】フックを支持体に取付ける工程図であって、上面から見た一部断面図である。
【図７】フックを支持体に取付けた状態を示す図であって、上面から見た一部断面図である。
【図８】フックとフック近傍の右脚部とを正面側から見た一部断面図である。
【図９】フックとフック近傍の右脚部の右側面図である。
【図１０】机の背面図である。
【図１１】実施の形態２の机の正面斜視図である。
【図１２】実施の形態２のフック近傍の机の拡大斜視図である。
【図１３】実施の形態２のフック近傍の机の拡大斜視図であって、フックを引っ張り出した状態（突出位置）を示す図である。
【図１４】実施の形態３の机の右脚部にフックを取付ける工程図を示す図である。
【図１５】実施の形態３のフック近傍の机の拡大斜視図である。
【図１６】実施の形態４のフックの斜視図である。
【図１７】実施の形態５のフックの斜視図である。
【符号の説明】
１…机
２，５…フック
３，４…支持体
３ａ…裏面支持部
３ｂ，４０…右脚部
３ｃ，３ｅ，４３，４４…フロア側支持部
３ｄ，４１…左脚部
３ｆ，３ｇ，４０ａ…傾斜部
１０…天板
２０ａ，５ｃ，６０，６１…抜止部
２０，２２…杆
２１，５ａ…掛止部
３０…第一支持部材
３２…第二支持部材
３５〜３８，４５〜４７…貫通孔
３５ａ，３６ａ，４７ａ…差込口
３５ｂ，３６ｂ，４７ｂ…出口
【図１】
2004057711.tif 000003
【図２】
2004057711.tif 000004
【図３】
2004057711.tif 000005
【図４】
2004057711.tif 000006
【図５】
2004057711.tif 000007
【図６】
2004057711.tif 000008
【図７】
2004057711.tif 000009
【図８】
2004057711.tif 000010
【図９】
2004057711.tif 000011
【図１０】
2004057711.tif 000012
【図１１】
2004057711.tif 000013
【図１２】
2004057711.tif 000014
【図１３】
2004057711.tif 000015
【図１４】
2004057711.tif 000016
【図１５】
2004057711.tif 000017
【図１６】
2004057711.tif 000018
【図１７】
2004057711.tif 000019